(57)【要約】【課題】両面板の各穴に十分な量の導電性ペーストを充填することができる印刷装置を提供する。【解決手段】層間接続用の穴１を複数設けて形成された両面板２上に導電性ペースト４を供給すると共に、この両面板２上にスキージ５を押圧しながら移動させることによって、各穴１に導電性ペースト４を押し込んで充填するようにした印刷装置に関する。両面板２の表面を読み取る両面板読取部７と、両面板読取部７で読み取った両面板２について穴１が密に分布している密領域と穴１が疎に分布している疎領域とを判別する機能を有するデータ処理部８と、データ処理部８で判別した結果に基づいて疎領域におけるスキージ５の移動速度に比べて密領域におけるスキージ５の移動速度の方が遅くなるようにスキージ５の移動速度を制御する機能を有するスキージ制御部９と、を具備する。【選択図】図１
2009107150.tif 000002
【特許請求の範囲】
【請求項１】
層間接続用の穴を複数設けて形成された両面板上に導電性ペーストを供給すると共に、この両面板上にスキージを押圧しながら移動させることによって、各穴に導電性ペーストを押し込んで充填するようにした印刷装置において、両面板の表面を読み取る両面板読取部と、両面板読取部で読み取った両面板について穴が密に分布している密領域と穴が疎に分布している疎領域とを判別する機能を有するデータ処理部と、データ処理部で判別した結果に基づいて疎領域におけるスキージの移動速度に比べて密領域におけるスキージの移動速度の方が遅くなるようにスキージの移動速度を制御する機能を有するスキージ制御部と、を具備して成ることを特徴とする印刷装置。
【請求項２】
スキージとして、移動方向に対して垂直に横切る方向に小スキージを複数隣接して形成されたものを用いると共に、各小スキージが移動する領域について穴が密に分布している密部分と穴が疎に分布している疎部分とを判別する機能をデータ処理部が有し、データ処理部で判別した結果に基づいて疎部分における小スキージの押圧力に比べて密部分における小スキージの押圧力の方が強くなるように各小スキージの押圧力を制御する機能をスキージ制御部が有して成ることを特徴とする請求項１に記載の印刷装置。
【発明の詳細な説明】
【技術分野】
【０００１】
本発明は、プリント配線板の製造工程で用いられる印刷装置に関するものである。
【背景技術】
【０００２】
プリント配線板を製造するための主要な材料として、両面に金属箔３を設けて形成された両面板２が用いられている。通常このような両面板２には層間接続用の穴１が複数設けられ、各穴１に導電性ペースト４が充填されるようにしている（例えば、特許文献１参照。）。すなわち、図６（ａ）のように層間接続用の穴１を複数設けて形成された両面板２上に導電性ペースト４を供給した後、この両面板２上にスキージ５を押圧しながら移動させることによって、図６（ｂ）のように各穴１に導電性ペースト４を押し込んで充填することができるものである。
【特許文献１】特表平１１−５１４３０６号公報
【発明の開示】
【発明が解決しようとする課題】
【０００３】
しかし、例えば図２（ａ）のように穴１が密に分布している密領域と穴１が疎に分布している疎領域とが混在しているような両面板２を用いる場合、疎領域の穴１に充填される導電性ペースト４の量は十分であるが、密領域の穴１に充填される導電性ペースト４の量は不足し、これが原因となって導通不良が生じるという問題がある。
【０００４】
本発明は上記の点に鑑みてなされたものであり、両面板の各穴に十分な量の導電性ペーストを充填することができる印刷装置を提供することを目的とするものである。
【課題を解決するための手段】
【０００５】
本発明の請求項１に係る印刷装置は、層間接続用の穴１を複数設けて形成された両面板２上に導電性ペースト４を供給すると共に、この両面板２上にスキージ５を押圧しながら移動させることによって、各穴１に導電性ペースト４を押し込んで充填するようにした印刷装置において、両面板２の表面を読み取る両面板読取部７と、両面板読取部７で読み取った両面板２について穴１が密に分布している密領域と穴１が疎に分布している疎領域とを判別する機能を有するデータ処理部８と、データ処理部８で判別した結果に基づいて疎領域におけるスキージ５の移動速度に比べて密領域におけるスキージ５の移動速度の方が遅くなるようにスキージ５の移動速度を制御する機能を有するスキージ制御部９と、を具備して成ることを特徴とするものである。
【０００６】
請求項２に係る発明は、請求項１において、スキージ５として、移動方向に対して垂直に横切る方向に小スキージ１０を複数隣接して形成されたものを用いると共に、各小スキージ１０が移動する領域について穴１が密に分布している密部分と穴１が疎に分布している疎部分とを判別する機能をデータ処理部８が有し、データ処理部８で判別した結果に基づいて疎部分における小スキージ１０の押圧力に比べて密部分における小スキージ１０の押圧力の方が強くなるように各小スキージ１０の押圧力を制御する機能をスキージ制御部９が有して成ることを特徴とするものである。
【発明の効果】
【０００７】
本発明の請求項１に係る印刷装置によれば、疎領域に比べて密領域でのスキージの移動速度を相対的に遅くすることによって、密領域の穴に押し込まれる導電性ペーストの量が不足するのを防止することができるものであり、その結果、両面板において密領域及び疎領域が混在していても、各穴に十分な量の導電性ペーストを充填することができるものである。
【０００８】
請求項２に係る発明によれば、疎部分に比べて密部分での小スキージの押圧力を相対的に強くすることによって、密部分の穴に押し込まれる導電性ペーストの量が不足するのを防止することができるものであり、その結果、各小スキージが移動する領域において密部分及び疎部分が混在していても、両面板の各穴に十分な量の導電性ペーストを充填することができるものである。
【発明を実施するための最良の形態】
【０００９】
以下、本発明の実施の形態を説明する。
【００１０】
図１は本発明の実施の形態の一例を示すものであり、印刷装置は、両面板読取部７と、データ処理部８と、スキージ５と、スキージ制御部９とを具備して形成されている。なお、スキージ５は、ＡＣサーボモータ等の駆動装置で水平面内において移動可能に形成されている。
【００１１】
両面板読取部７は、図２（ａ）のように層間接続用の穴１を複数設けて形成された両面板２の表面を読み取るものであり、光源及びカメラで形成されている。そして両面板読取部７で読み取った両面板２の画像データ（ＣＡＤデータ）は、データ処理部８に送信されるようにしてある。
【００１２】
またデータ処理部８は、両面板読取部７で読み取った両面板２の画像データを受信して取り込み、この両面板２について穴１が密に分布している密領域と穴１が疎に分布している疎領域とを判別する機能を有するものであり、ＣＡＤシステムで形成されている。
【００１３】
ここで、密領域と疎領域との判別は、例えば、スキージ５の移動方向において両面板２を等間隔に複数の区間に区切り、各区間における穴１の密度（穴１の数）を比較することによって行うことができる。具体的には、図２（ａ）のような両面板２の場合、矢印イで示すスキージ５の移動方向において両面板２を図２（ｂ）のように等間隔に第１区間Ｓ１、第２区間Ｓ２、第３区間Ｓ３の３つの区間に区切ると、第１区間Ｓ１の穴１の数は４、第２区間Ｓ２の穴１の数は８、第３区間Ｓ３の穴１の数は１６であるから、第１区間Ｓ１と第２区間Ｓ２との間では前者が疎領域、後者が密領域となり、また第２区間Ｓ２と第３区間Ｓ３との間では前者が疎領域、後者が密領域となる。このように、密領域と疎領域は相対的に決まるものである。なお、区間数は限定されない。
【００１４】
またスキージ制御部９は、データ処理部８で判別した結果に基づいて所定の指令をスキージ５の駆動装置に送信してスキージ５の移動速度を制御する機能を有するものであり、コンピュータシステムで形成されている。そしてスキージ５は、疎領域における移動速度に比べて密領域における移動速度の方が遅くなるように、スキージ制御部９によって制御されている。具体的には、既述の図２（ｂ）のような両面板２を用いる場合、第１区間Ｓ１と第２区間Ｓ２では前者が疎領域、後者が密領域であるから、第１区間Ｓ１に比べて第２区間Ｓ２における移動速度の方が遅くなるようにスキージ５を制御するものであり、また第２区間Ｓ２と第３区間Ｓ３では前者が疎領域、後者が密領域であるから、第２区間Ｓ２に比べて第３区間Ｓ３における移動速度の方が遅くなるようにスキージ５を制御するものである。
【００１５】
そして図１のような印刷装置を用いて両面板２の穴１に導電性ペースト４を充填するにあたっては、まず両面板読取部７によって両面板２の表面を読み取った後、この両面板２についてデータ処理部８によって密領域と疎領域とを判別するものである。次にこの両面板２を平坦な台１６上に載置した後、両面板２上に導電性ペースト４を供給すると共に、この両面板２上にスキージ５を押圧しながら移動させるものである。このときスキージ制御部９によってスキージ５の移動速度が制御されるものであるが、密領域でスキージ５の移動速度を遅くすることによって、密領域の穴１に押し込まれる導電性ペースト４の量が不足するのを防止することができるものである。一方、疎領域の穴１に押し込まれる導電性ペースト４の量は通常不足することはないので、結局、両面板２において図２（ａ）のように密領域及び疎領域が混在していても、各穴１に十分な量の導電性ペースト４を充填することができるものである。
【００１６】
図３は本発明の実施の形態の他の一例を示すものであり、このものではスキージ５として、移動方向（矢印イ）に対して垂直に横切る方向（両矢印ロ）に小スキージ１０を複数隣接して形成されたものを用いるものである。具体的には、このようなスキージ５は、移動方向に対して垂直に横切る方向に矩形状のゴム１１を立てて配置し、このゴム１１の上端面に複数の圧力調整シリンダ１２を隣接して固定することによって形成することができる。そして各小スキージ１０は、圧力調整シリンダ１２とその直下部分のゴム１１で構成されており、スキージ制御部９から送信された指令を受信して、圧力調整シリンダ１２を下動させることによってその直下部分のゴム１１で強い押圧力を両面板２に作用させ、また圧力調整シリンダ１２を上動させることによって両面板２に作用している押圧力を弱めることができるものである。いずれの圧力調整シリンダ１２も同じ一枚物のゴム１１に固定されているが、図４のように短冊状のゴム片１３の上端面に圧力調整シリンダ１２を固定して小スキージ１０を形成し、この小スキージ１０を移動方向に対して垂直に横切る方向に複数隣接することによってスキージ５を形成するようにしてもよい。このようなスキージ５であれば、隣接するゴム片１３同士は独立しており、相互に上下の動きが妨害されにくくなっているので、各小スキージ１０の押圧力を正確に両面板２に作用させることができるものである。
【００１７】
またデータ処理部８は、既述の機能に加えて、各小スキージ１０が移動する領域について穴１が密に分布している密部分と穴１が疎に分布している疎部分とを判別する機能を有するものである。
【００１８】
ここで、密部分と疎部分との判別は、例えば、既述のようにスキージ５の移動方向において両面板２を等間隔に複数の区間に区切ると共に、さらにスキージ５の移動方向に対して垂直に横切る方向において両面板２を等間隔に複数の列に区切り、各列の各区間における穴１の密度（穴１の数）を比較することによって行うことができる。なお、この場合、各列上を各小スキージ１０が移動するものである。
【００１９】
具体的には、図２（ａ）のような両面板２の場合、まず既述のようにスキージ５の移動方向（両矢印イで示す）において両面板２を図２（ｃ）のように等間隔に第１区間Ｓ１、第２区間Ｓ２、第３区間Ｓ３の３つの区間に区切ると共に、さらにスキージ５の移動方向に対して垂直に横切る方向（両矢印ロで示す）において両面板２を等間隔に第１列Ｌ１、第２列Ｌ２、第３列Ｌ３、…、第６列Ｌ６の６つの列に区切る。区間数及び列数は限定されない。そうすると、第１列Ｌ１に着目すれば、第１区間Ｓ１の穴１の数は０、第２区間Ｓ２の穴１の数は１、第３区間Ｓ３の穴１の数は３であるから、第１区間Ｓ１と第２区間Ｓ２との間では前者が疎部分、後者が密部分となり、また第２区間Ｓ２と第３区間Ｓ３との間では前者が疎部分、後者が密部分となる。また第２列Ｌ２に着目すれば、第１区間Ｓ１の穴１の数は１、第２区間Ｓ２の穴１の数は３、第３区間Ｓ３の穴１の数は３であるから、第１区間Ｓ１と第２区間Ｓ２との間では前者が疎部分、後者が密部分となり、また第２区間Ｓ２と第３区間Ｓ３との間では両者の疎密の程度は同じになる。また第３列Ｌ３に着目すれば、第１区間Ｓ１の穴１の数は０、第２区間Ｓ２の穴１の数は０、第３区間Ｓ３の穴１の数は３であるから、第１区間Ｓ１と第２区間Ｓ２との間では両者の疎密の程度は同じになり、また第２区間Ｓ２と第３区間Ｓ３との間では前者が疎部分、後者が密部分となる。また第４列Ｌ４に着目すれば、第１区間Ｓ１の穴１の数は３、第２区間Ｓ２の穴１の数は２、第３区間Ｓ３の穴１の数は１であるから、第１区間Ｓ１と第２区間Ｓ２との間では前者が密部分、後者が疎部分となり、また第２区間Ｓ２と第３区間Ｓ３との間では前者が密部分、後者が疎部分となる。また第５列Ｌ５に着目すれば、第１区間Ｓ１の穴１の数は０、第２区間Ｓ２の穴１の数は０、第３区間Ｓ３の穴１の数は３であるから、第１区間Ｓ１と第２区間Ｓ２との間では両者の疎密の程度は同じになり、また第２区間Ｓ２と第３区間Ｓ３との間では前者が疎部分、後者が密部分となる。また第６列Ｌ６に着目すれば、第１区間Ｓ１の穴１の数は０、第２区間Ｓ２の穴１の数は２、第３区間Ｓ３の穴１の数は３であるから、第１区間Ｓ１と第２区間Ｓ２との間では前者が疎部分、後者が密部分となり、また第２区間Ｓ２と第３区間Ｓ３との間では前者が疎部分、後者が密部分となる。このように、各列において密部分と疎部分は相対的に決まるものである。
【００２０】
またスキージ制御部９は、既述の機能に加えて、データ処理部８で判別した結果に基づいて各小スキージ１０の押圧力を制御する機能を有するものである。そして小スキージ１０は、疎部分における押圧力に比べて密部分における押圧力の方が強くなるように、スキージ制御部９によって制御されている。具体的には、既述の図２（ｃ）のような両面板２を用いる場合、第１列Ｌ１においては、第１区間Ｓ１と第２区間Ｓ２との間では前者が疎部分、後者が密部分であるから、第１区間Ｓ１に比べて第２区間Ｓ２における押圧力の方が強くなるように小スキージ１０を制御するものであり、また第２区間Ｓ２と第３区間Ｓ３との間では前者が疎部分、後者が密部分であるから、第２区間Ｓ２に比べて第３区間Ｓ３における押圧力の方が強くなるように小スキージ１０を制御するものである。また第２列Ｌ２においては、第１区間Ｓ１と第２区間Ｓ２との間では前者が疎部分、後者が密部分であるから、第１区間Ｓ１に比べて第２区間Ｓ２における押圧力の方が強くなるように小スキージ１０を制御するものであり、また第２区間Ｓ２と第３区間Ｓ３との間では両者の疎密の程度は同じであるから、第２区間Ｓ２と第３区間Ｓ３における押圧力は同じになるように小スキージ１０を制御するものである。また第３列Ｌ３においては、第１区間Ｓ１と第２区間Ｓ２との間では両者の疎密の程度は同じであるから、第１区間Ｓ１と第２区間Ｓ２における押圧力は同じになるように小スキージ１０を制御するものであり、また第２区間Ｓ２と第３区間Ｓ３との間では前者が疎部分、後者が密部分であるから、第２区間Ｓ２に比べて第３区間Ｓ３における押圧力の方が強くなるように小スキージ１０を制御するものである。また第４列Ｌ４においては、第１区間Ｓ１と第２区間Ｓ２との間では前者が密部分、後者が疎部分であるから、第１区間Ｓ１に比べて第２区間Ｓ２における押圧力の方が弱くなるように小スキージ１０を制御するものであり、また第２区間Ｓ２と第３区間Ｓ３との間では前者が密部分、後者が疎部分であるから、第２区間Ｓ２に比べて第３区間Ｓ３における押圧力の方が弱くなるように小スキージ１０を制御するものである。また第５列Ｌ５においては、第１区間Ｓ１と第２区間Ｓ２との間では両者の疎密の程度は同じであるから、第１区間Ｓ１と第２区間Ｓ２における押圧力は同じになるように小スキージ１０を制御するものであり、また第２区間Ｓ２と第３区間Ｓ３との間では前者が疎部分、後者が密部分であるから、第２区間Ｓ２に比べて第３区間Ｓ３における押圧力の方が強くなるように小スキージ１０を制御するものである。また第６列Ｌ６においては、第１区間Ｓ１と第２区間Ｓ２との間では前者が疎部分、後者が密部分であるから、第１区間Ｓ１に比べて第２区間Ｓ２における押圧力の方が強くなるように小スキージ１０を制御するものであり、また第２区間Ｓ２と第３区間Ｓ３との間では前者が疎部分、後者が密部分であるから、第２区間Ｓ２に比べて第３区間Ｓ３における押圧力の方が強くなるように小スキージ１０を制御するものである。
【００２１】
そして図３又は図４のようなスキージ５を具備する印刷装置を用いて両面板２の穴１に導電性ペースト４を充填するにあたっては、まず両面板読取部７によって両面板２の表面を読み取った後、この両面板２の全体についてデータ処理部８によって密領域と疎領域とを判別すると共に、各小スキージ１０が移動する領域ごとに個別に密部分と疎部分とを判別するものである。次にこの両面板２を平坦な台１６上に載置した後、両面板２上に導電性ペースト４を供給すると共に、この両面板２上にスキージ５を押圧しながら移動させるものである。このときスキージ制御部９によってスキージ５全体の移動速度が制御されるのは既述のとおりであるが、この実施の形態ではさらにスキージ制御部９によって各小スキージ１０の押圧力が制御されるものである。このときの様子を図５に概念的に示すが、密部分で小スキージ１０の押圧力を強くすることによって、密部分の穴１に押し込まれる導電性ペースト４の量が不足するのを防止することができるものである。一方、疎部分の穴１に押し込まれる導電性ペースト４の量は通常不足することはないので、結局、各小スキージ１０が移動する領域において図２（ａ）のように密部分及び疎部分が混在していても、両面板２の各穴１に十分な量の導電性ペースト４を充填することができるものである。
【図面の簡単な説明】
【００２２】
【図１】印刷装置の一例を示す概略図である。
【図２】両面板の一例を示すものであり、（ａ）〜（ｃ）は平面図である。
【図３】スキージの一例を示すものであり、（ａ）は正面図、（ｂ）は側面図である。
【図４】スキージの他の一例を示すものであり、（ａ）は正面図、（ｂ）は側面図である。
【図５】両面板の穴に導電性ペーストを充填するときの様子を示す概念図である。
【図６】両面板の穴に導電性ペーストを充填する工程を示すものであり、（ａ）（ｂ）は断面図である。
【符号の説明】
【００２３】
１  穴
２  両面板
４  導電性ペースト
５  スキージ
７  両面板読取部
８  データ処理部
９  スキージ制御部
１０  小スキージ
【図１】
2009107150.tif 000003
【図２】
2009107150.tif 000004
【図３】
2009107150.tif 000005
【図４】
2009107150.tif 000006
【図５】
2009107150.tif 000007
【図６】
2009107150.tif 000008